(57)【特許請求の範囲】
【請求項１】
音声通信システムにおけるブロック符号化音声信号の処理方法であって、
ａ）前記音声信号と相関する置換信号を発生させるとともにバッファに格納するステップと、
ｂ）前記音声信号自身を監視し、不正確に伝送された信号が発見されたとき、その信号の属する第１の信号区分だけを前記置換信号で置換するステップと、
ｃ）前記音声信号中の置換に依存するアーティファクトを抑制するステップとを有し、前記音声信号中の置換に依存する前記アーティファクトを抑制するためのフィルタ関数（Ｈ（ω））を発生させ、このフィルタ関数（Ｈ（ω））の伝達関数を前記不正確に伝送された信号に応じて可変させるフィルタ処理を行うことにより前記置換による音声信号が不自然に聴取されないように維持することを特徴とする信号処理方法。
【請求項２】
請求項１に記載の信号処理方法において、
前記音声信号がデジタル的にフィルタ処理されることを特徴とする信号処理方法。
【請求項３】
請求項１又は２に記載の信号処理方法において、
前記音声信号が発声信号であることを特徴とする信号処理方法。
【請求項４】
請求項１乃至３のいずれか１項に記載の信号処理方法において、
前記置換信号を、前記第１の信号区分の直前の伝送された音声信号の正確に伝送された第２の信号区分から発生させることを特徴とする信号処理方法。
【請求項５】
請求項１乃至４のいずれか１項に記載の信号処理方法において、
はぼ連続的に生じる前記第１の信号区分の場合、前記置換に依存するアーティファクトの抑制を時間ごとに変化させることを特徴とする信号処理方法。
【請求項６】
請求項５に記載の信号処理方法において、
前記ほぼ連続的に生じる前記第１の信号区分が予め設定された持続時間を超える場合に、前記音声信号をマスクアウトすることを特徴とする信号処理方法。
【請求項７】
請求項１乃至６のいずれか１項に記載の信号処理方法を、
少なくとも一つのコードレスベースステーション及びそれに割り当てられた少なくとも一つのコードレス移動区分を有するDECT特有のコードレス遠隔通信システムにおけるアプリケーションとして実行することを特徴とする信号処理方法。
【請求項８】
音声通信システムにおけるブロック符号化音声信号の信号処理装置であって、
ａ）前記音声信号と相関する置換信号を発生させるとともにバッファの格納する第１手段（DSP,PM1）と、
ｂ）前記音声信号自身を監視し、不正確に伝送された信号が発見されたとき、その信号の属する第１の信号区分だけを識別する第２手段（DSP,PM2）と、
ｃ）前記音声信号の前記第１の信号区分を前記置換信号で置換する第３手段（DSP,PM3）と、
ｄ）前記音声信号中の置換に依存するアーティファクトを抑制する第４手段（DSP,PM4）とを有する信号処理装置とを有し、
前記音声信号の置換に依存するアーティファクトを抑制するためのフィルタ関数（Ｈ（ω））を有するフィルタを前記第４手段（DSP,PH4）として設け、このフィルタ関数（Ｈ（ω））の伝達関数を前記不正確に伝送された信号に応じて可変させるフィルタ処理を行うことにより前記置換による音声信号が不自然に聴取されないよう維持することを特徴とする信号処理装置。
【請求項９】
請求項８に記載の信号処理装置において、
前記第４手段（DSP,PM4）を、デジタルフィルタで設計することを特徴とする信号処理装置。
【請求項１０】
請求項８に記載の信号処理装置において、
前記音声信号を発声信号として設計することを特徴とする信号処理装置。
【請求項１１】
請求項８乃至10のいずれか１項に記載の信号処理装置において、
前記第１手段（DSP,PM1）を、前記第１の信号区分の直前に伝送した前記音声信号の正確に伝送した第２の信号区分から前記置換信号を発生するように設計することを特徴とする信号処理装置。
【請求項１２】
請求項８乃至11のいずれか１項に記載の信号処理装置において、
前記第２手段（DSP,PM2）、第３手段（DSP,PM3）及び第４手段（DSP,PM4）は、ほぼ連続的に生じる前記第１の信号区分の場合、前記置換に依存するアーティファクトの抑制を時間ごとに変化させる機能ユニットを形成することを特徴とする信号処理装置。
【請求項１３】
請求項12に記載に信号処理装置において、
前記第２〜第４手段（DSP,PM2…PM4）から形成された機能ユニットを、前記ほぼ連続的に生じる前記第１の信号区分が予め設定された持続時間を超える場合に、前記音声信号をマスクアウトするように設計することを特徴とする信号処理装置。
【請求項１４】
請求項９に記載の信号処理装置において、
前記第１手段（DSP,PM1）を、デジタル信号プロセッサ（DSP）の第１プログラムモジュール（PM1）として設計し、前記第２手段（DSP,PM2）を、デジタル信号プロセッサ（DSP）の第２プラグラムモジュール（PM2）として設計し、前記第３手段（DSP、PM3）を、デジタル信号プロセッサ（DSP）の第３プログラムモジュール（PM3）として設計し、かつ、前記第４手段（DSP,PM4）を、デジタル信号プロセッサ（DSP）の第４プログラムモジュール（PM1）として設計することを特徴とする信号処理装置。
【請求項１５】
請求項９に記載の信号処理装置において、
前記デジタルフィルタを、低域通過特性を有する１次再帰フィルタとして設計することを特徴とする信号処理装置。
【請求項１６】
請求項９乃至15のいずれか１項に記載の信号処置装置において、
前記デジタルフィルタは、前記置換に対して一つの同一信号区分を複数回用いる場合に繰り返し周波数によって生じたアーティファクトを抑制する高域通過要素を更に有することを特徴とする信号処理装置。
【請求項１７】
請求項８乃至16のいずれか１項に記載した信号処理装置において、
DECT特有のコードレス遠隔通信システムの少なくとも一つのコードレスベースステーション（FT）及び／又はこのコードレスベースステーション（FT）に割り当てられた少なくとも一つのコードレス移動区分（PT1…PT12）を有した使用状態を実行することを特徴とする信号処理装置。
【発明の詳細な説明】
技術分野
本発明は、特許請求の範囲１の前提部分に記載したような信号処理方法及び特許請求の範囲８の前提部分に記載したような信号処理装置に関するものである。
背景技術
送受信装置は、メッセージ処理やメッセージソースとメッセージシンクとの間のメッセージ伝送経路を有する通信システムに用いられている。メッセージソースで発生したメッセージは、メッセージチャネルを介して送信装置から受信装置に送信される。その後、受信装置は、受信したメッセージをメッセージシンクに送出する。この場合、メッセージ処理及び伝送を必要な伝送方向又は両伝送方向（送受信デュープレックス動作）で実行することが出来る。
「メッセージ」は、意味成分（情報）及び物理表示（信号）の両方を表わす一般的な用語である。「信号」は、例えば、
（１）画像
（２）話されたワード
（３）書かれたワード
（４）暗号化ワード又は画像
を表わす。
この場合、（１）...（３）の伝送のタイプは、通常連続的な（アナログ）信号によって特徴づけられ、それに対して、不連続的な信号（例えば、パルス信号、デジタル信号）は通常、（４）のタイプの伝送に対するものとなる。
本発明は、特に音声メッセージ（例えば、発声、音楽メッセージ等）の伝送に関する。なお、例えば、適切に処理されたビデオメッセージのような他のメッセージに適用することも出来る。
連続的な信号（純粋なアナログ信号）あるいは連続的な信号と不連続的な信号との混合信号のいずれかが、A/Dコンバータ及び及びD/Aコンバータを用いる音声通信システムにおいて、信号形態として表われる。メッセージタイプに特有の装置では、各々の場合について「送信」機能及び「受信」機能が必要とされる。これら装置中のいずれを最終的に用いるかは、特に音声通信システムの基礎として用いられる通信チャネルに依存する。本発明は、特に、無線遠隔通信チャネルを有する遠隔通信システムに関するものであり、このような構成を有する遠隔通信システムは、例えば、DECT規格（（１）Digital European Cordless Telecommunication;フランスのprETS 300 175−1...9,1992/10,Part 1〜9,ETS−Institute 06921 Sofia Antipoles（２）Telecommunications Electronics 42（Jan./Feb.1992）,No.1,Berlin;U.Pilger:Structure of the DECT Standard;page 23〜29（３）Philips Telecommunication Review;“DECT,Universal Cordless Access System";Vol.49,No.3,09/1991,page 68〜73参照）のコードレス電話機又はGMS規格（Group Special Mobile or Gobal［sic］Systems for Mobile Communication;Information Spectrum,Springer Press Berlin,Year 14,1991,No.3,page 137〜152,“The GSM standard−Basis for digital European mobile radio netwarks"参照）の移動無線電話である。
DECTコードレス電話機及びGSM移動無線電話機は、ブロック符号化音声信号、例えば、TDMAまたはCDMA（Time Division Multiple Access又はCode Division Multiple Access）を用いて符号化される信号を処理する音声通信システムである。これら電話機を用いて伝送されるメッセージは、一般に、上記メッセージタイプの規定に応じて、連続的な信号と不連続的な信号とを混合したものを有する。この信号の混合は、この場合、A/Dコンバータ及びD/Aコンバータを用いることによって発声する。
図１は、最多で12個のコードレス移動端末PT1...PT12（Portable Termination）を無線チャネルFKを通じてコードレス通信に割り当てたコードレスベースステーションFT（Fixed Termination）を有するDECTコードレス電話機を示したものである。このように設計したコードレスベースステーションは、商品名“Gigaset 952"を用いて市販されている。1993年にG.WeckwerthによりDE−Z:the German journal Funkschau 12/1993の24〜25頁に記載された、“Digital freedom−Gigaset 952:The first Dect telephone"参照。この設計も、これより前にDE−Ｚから既に既知である。Dr,J,Niederによるthe German journal Funkschau 10/1993の74〜77頁の表題“Communicate digitally using the DECT−DECT chip set from Philips"及び国際特許出願公開明細書第94/10812号（図１とその関連記載参照）。
図２はコードレス電話機の発声メッセージの伝送に用いるようなDECT特有のコードレス移動無線端末PT1...PT12の設計の原理を示したものである。このように設計したコードレス移動端末は、同様に、商品名“Gigaset 952"を用いて市販されている。1993年にG.WeckwerthによりDE−Z:the German journal Funkschau 12/1993の24〜25頁に記載された“Digital freedom−Gigaset 952:The first Dect telephone"参照。この設計も、これより前に既にDE−Ｚから既知である。Dr,J,Niederによるthe German journal Funkschau 10/1993の74〜77頁の表題“Communicate digitally using the DECT−DECT chip set from Philips"及び国際特許出願公開明細書第94/10812号（図１とその関連記載参照）。
ブロック化に適合した符号化方法（例えば、TDMA方法）は、DECTコードレス電話機を用いて音声及び／又は音楽信号（音声信号）の伝送に用いられ、一方では、データ圧縮のために時間的に互いに続く信号区分間の相関に使用し、及び／又は、他方では、パリティビットによりブロック化に適合したエラー保護を行う。デジタル符号化信号に伝送妨害が発生するとビットエラーが起こるが、このビットエラーはエラーレートが遅い場合にはデジタル符号化信号に割り当てられた冗長機構によって補償可能である。しかしながら、ビットエラーがより高いレベルに到達すると、エラー訂正は不可能になり、その結果、全体の信号ブロックは、誤りとして識別され、拒否される。誤りとして識別されるとともに拒否されるこのような信号ブロックをコピーするために受信端に複数のオプションが設けられる。
国際特許出願公開明細書第94/10769号公報に開示された第１のオプションは、誤りとして識別される適当な信号ブロックを「スケルチ」処理することである。すなわち、例えば、零のシーケンスによって適切な方法で符号を変化させることである。この方法は、Gigaset 952のようなデジタルDECTコードレス電話機で用いられる。
エラーを訂正する第２のオプションは、発生したエラーを重要でないものと仮定することである。しかしながら、この場合、妨害されたビットの各々の重要性を識別するためにアルゴリズムを用いることが出来るか否かを識別する必要がある。通常の線形符号化の場合、例えば、妨害された最下位ビット（LSB:Least Significant Bit）は、聴取できるエラーをほとんど発生させないが、不正確に最上位ビット（MSB:Most Significant Bit）を設定すると、送信号中に突然の強い変化が生じ、したがってクラッキングのような妨害が発生する。その間、予期すべき特定の妨害がどのくらい強力であるかを直接識別するのはいずれの場合にも不可能である。
妨害された音声信号のエラーを訂正する全く相違する方法が、次の文献で提案されている。
（１）A.Papoulis:“A new algorithm in Spectral Analysis and Band−Limited Extrapolation";IEEE Transactions on Circuits and Systems,Volume 22（９）,page 735 ff.,1975
（２）R.Sottek:“Models for signal processing in human hearing";Thesis at the Institute for Electrical Telecommunications,RWTH Aachen 1993
妨害によって生じた音声信号中の信号エラーを信号補間によってマスクする方法は、引用した文献の各々から既知である。この方法の場合の不都合は、一方では、技術的に非常に複雑であることであり、これによりある状況下では現在市販されているデジタル信号プロセッサ（DSP;Digital Signal Processor）の全演算電力が要求され、他方では、フーリエ変換を用いて周波数領域で処理が実行される場合、アルゴリズム的に信号を遅延させる必要がある。この遅延は、例えば電話機、特にコードレス電話機の場合に許容できないものである。
デジタル音声信号の伝送方法は、ドイツ出願公開明細書第4111131号に開示されており、この場合、信号に互いに関連する置換信号を発生させ、及び信号処理のためにバッファに格納し、少なくとも一つの第１の不正確に伝送された信号区分を信号中で決定し、信号の第１信号区分を、置換信号で置換し、置換に依存する信号中のアーティファクトを抑制している。
発明の開示
本発明の目的は、伝送エラーが生じた場合、演算電力及びコストを最小にするとともに、送信すべき音声信号に余分な遅延が生じないように音声通信システムにおけるブロック符号化音声信号の伝送品質を向上させることである。
この目的は、以下のようにして達成される。
１）特許請求の範囲１の前提部分で定義される信号処理方法において、特許請求の範囲１の特徴部分に規定した信号処理方法に基づくもの。
２）特許請求の範囲８の前提部分で定義される信号処理装置において、特許請求の範囲８の特徴部分に規定した信号処理装置に基づくもの。
本発明の概念は、予め発生させたポーズ特有の置換信号によって伝送エラーによって生じた音声信号中のポーズを置換することである。
最も簡単な場合には、バッファに格納され、所定の信号区分が妨害される場合には、妨害によって生じたギャップに挿入される音声信号の所定の信号区分の直前の信号区分から置換信号を発生させる。音声信号（音楽又は音声信号）の場合、時間的に互いに隣接する信号区分間に高い相関レベルがあるので、この手順はそれ自体に用いることも出来る。
この理由は、音量（例えば、音楽を発生させる場合のコードの共振、発声する場合の発声器官の動き）を発声させる機構が所定の機械的な慣性量を有するからである。10〜20msの大きさの順で互いに続く音声信号の信号区分を比較すると、時間信号に、非常にハイレベルの類似がほとんど常に発見できる（図３）。
また、音声信号の所定の信号区分に時間的に連続し、前にある複数の信号区分全体に最初にパルス特有の置換信号を拡張し、これらをバッファに格納し、その後、妨害された所定の信号区分がある場合には、音声信号中のキャップを閉じるようにすることも出来る。このギャップは、最後に正確に送信された信号区分の端部と、この信号区分の端部に最も整合するバッファに格納された置換信号の開始とを比較することにより最適な連続的な整合を実行する過程で妨害によって発生する。
しかしながら、上記方法中の一つを用いて誤りの信号区分を先行する信号区分で置換すると、（最適な連続的な整合を用いる方法の場合でも）音声信号の信号区分の位相が未知のため挿入点で音声信号に不連続が生じる（図４）。例えば、前の区分に挿入すべき信号区分に連続的に整合させるために音声信号の基本周波数を簡単に決定することは、電話通信の音声信号の場合には不可能である。その理由は、160〜200Hzの周波数スペクトルの音声の基本周波数は、高域通過フィルタ（300Hzでの高域通過フィルタ処理）によってフィルタ処理される。それに対して、スペクトル分布に加えた個別の周波数成分の位相も既知であるときのみ、信号区分を互いに近接して連続的に配置することが出来る。しかしながら、これは、その後、例えば、フーリエ変換を用いることによる連続的なスペクトル分析に依存するが、既に説明した演算の複雑さが原因となって、その解決が不可能である。
上記不連続により、音声信号伝送中に可聴のクラックル状の妨害も発生する。例えば、段階的な関数のフーリエ変換の高スペクトル成分を抑制することにより、この高周波数の妨害を抑制するためには低域通過フィルタを用いるのが好適である。低域通過フィルタは、時間領域において平滑効果を有し、同時に不自然な高周波数成分が周波数領域で減衰する。これによって生じる伝送すべき音声信号に対する悪影響は、デジタルフィルタとして好適に設計された低域通過フィルタが音声信号を非常に精密に細分しない場合には許容できない。したがって、フィルタのチューニングは折衷案とみなすことができ、精神的な音響に基づいて最適化する。さらに、妨害なしでフィルタをオン及びオフに切り替えることが出来るよう要求される。
本発明の好適な展開を従属項で特定する。
【図面の簡単な説明】
図１は、コードレスベースステーションFTを有するDECTコードレス電話機を示したものである。
図２は、コードレス電話機の発声メッセージの伝送に用いるようなDECT特有のコードレス移動無線端末の設計の原理を示したものである。
図３は話された「ａ」文字を複数の時間区分に分割した音声信号の波形を示したものである。
図４は時間区分を置き換える（矢印）際に発生する音声信号の不連続の音声波形を示したものである。
図５は伝送エラーが発生する際のDECTコードレス電話機のTDMA（Time Division Multiple Access）特有のDECT音声信号の伝送品質を向上させるために、図２に基づいて、コードレス移動区分PTの修正したトポロジーを示したものである。
図６は音声信号の置換に依存するアーティフィクトを抑制する簡単なフィルタの設計を示したものである。
図７は実際の低域通過フィルタ（図６の１次回帰フィルタ）の測定された伝達関数を示したものである。
図８は３周期（10ms）にわたって妨害されたDECT音声信号の波形を示したものである。
図９は図８の３周期（10ms）にわたって処理されたDECT音声信号の波形を示したものである。
発明を実施するための最良の形態
以下に、本発明の実施の形態を、図３〜図９を参照して説明する。
図３は、複数の（10ms）の信号区分に分割した、話された「ａ」文字の音声信号SSaの時間波形を示したものである。隣接する時間区分の類似を、音声信号SSaのこの時分割に見ることが出来る。互いに近接する音声信号SSaの副成分間のこの相関は、音量発生機構（声道の動き）が所定の量の機械的な慣性を有する結果である。
図４は、図３の話された「ａ」の音声信号SSaに基づいて、相違する時間軸に対する同一音声信号SSaを示している。図４の音声信号の場合、40〜50msの時間周期の時間区分は、先行する時間区分をコピーすることによって置き換えられる。この置換により、矢印で示した点に不連続が生じる。これは電子音響信号変換中にクラックル状の妨害として聴取されるおそれがある。
図５は、図２に基づいて、伝送エラーが発生する際にDECTコードレス電話機のTDMA（Time Division Multiple Access）特有のDECT音声信号の伝送品質を向上させるためのコードレス移動区分PTの修正したトポロジーを示したものである。伝送エラーは、DECTコードレス電話機の無線メッセージが伝送される際に境界領域で頻繁に生じる。その結果、これら領域でDECT特有のバースト及び情報損失が発生する。このため、修正したコードレス移動区分PTは、デジタル信号プロセッサDSPを有し、これを信号制御装置BMC（バーストモードコントロラー）及び信号変換装置SUE（コーデック、AD/DAコンバータ）が間にある受信方向でのアンテナANTから下流の無線区分FKT（送受信器）を介した受信器HKへ、送信方向でのマイクロホンMIKからアンテナANTへのコードレス移動区分PTの伝送経路USに配置する。この場合、デジタル信号プロセッサDSPは、移動区分に特有の関数／シーケンス制御装置MIC（DECTマイクロプロセッサ）によって制御される。前記伝送経路USで部分的に歪んで伝送されるDECT音声信号の〔sic〕伝送品質を向上させることが出来るようにするため、下記の複数のプログラムモジュールを、デジタル信号プロセッサDSPに割り当てる。
（１）音声信号と相互に関連した置換信号を発生させ及びバッファに格納する第１プログラムモジュールPM1
（２）音声信号の少なくとも一つの最初の不正確に伝送された信号区分を決定する第２プログラムモジュールPM2
（３）置換信号によって音声信号の第１信号区分を置換する第３プログラムモジュールPM3
（４）DECT音声信号の置換に依存するアーティファクトを抑制する第４プログラムモジュールPM4
関数／シーケンス制御装置MICの制御権限の下で音声信号に特有の前記特徴を第１の三つのモジュールPM1,PM2,PM3が検出しかつ、評価する間に、評価中にDECT音声信号に発生する不連続を第４プログラムモジュールによってデジタル的にフィルタ処理する。この好適な実施の形態において、第４プログラムモジュールPM4を、このようなデジタルフィルタとする。時間信号区分の接合部における突然の不連続は、デジタルフィルタによって平滑化される。
図６は、図５のプログラムモジュールPM4によって実現されるデジタルフィルタの設計を示したものである。その最も簡単な形態では、このデジタルフィルタを、１次再帰フィルタ（IIRフィルタ:Infinite Impulse Resomanse−Filter）として設計する。この再帰フィルタは、
（１）角周波数ω＝０で関数値Ｈ（ω＝０）＝b0＊1/（１−a1）を有し、かつ、（２）角周波数ω＝πで関数値Ｈ（ω＝π）＝b0＊1/（１＋a1）となるフィルタ関数Ｈ（π）を有する。
その結果、フィルタの独自の設計が可能となる。係数a1を０〜１の間（０＜a1＜１）の値の範囲とする場合、再帰フィルタは低域通過フィルタとなる。b0＝（１−a1）及び値a1＝0.8の関係を用いると、結果的に次の関数の値となる。ω＝０、ω＝π/8及びω＝πに対して、Ｈ（ω＝０）＝1,H（ω＝π/8）＝0.5及びＨ（ω＝π）＝0.111。
図７は、実際の一次の低域通過フィルタで測定された伝達関数を示したものである。結果として得られる4kHzの帯域遮断（遮断周波数）は、8kHzのサンプリングレートでDECT特有のコードレス移動区分PTを用いて伝送される音声信号の帯域幅に起因する。このフィルタにより、最高周波数で20dBの信号減衰が発生する。
図８は、DECT音声信号が三周期（10ms）で（4425msと4455msとの間の時間軸上の時間周期）妨害された音声信号を示している。個別（10ms）の周期波、DECTコードレス信号伝送中のTDMAの時分割多重フレームの持続時間に相当する。図８に図示した信号が、図５に図示したコードレス移動区分PTの伝送経路US上で伝送される場合、図９に図示すように修正された音声信号が、最終的には図５の信号変換装置の出力部分に発生する。この場合、図８に示した基の音声信号との差は、図５及び６のデジタル信号プロセッサDSPの元の発声信号を単独に処理した結果である。プログラムモジュールPM1...PM4に基づいてデジタル信号プロセッサDSPで実行される機能ステップは次の通りである。
（Ｉ）音声信号中に少なくとも一つの不正確に伝送された信号を決定する。図８に示す音声信号では、三つの妨害された（10ms）信号区分がある。
（II）音声信号の最後に正確に伝送された信号区分をバッファ格納（置換信号の発生）する。
（III）バッファに格納された置換信号によって元の音声信号の三つの（10ms）信号区分を置換する。
（IV）図６に示すデジタル再帰フィルタをステップ（Ｉ）〜III）に従って処理された音声信号へ適用して、フィルタ関数に基づく演算によりフィルタ処理を行う。
デジタル信号プロセッサDSPは、最後の機能ステップ−フィルタ関数の演算−に対して最後にバッファに格納されたサンプル値のみを要求する。この場合、二つの係数a1,b0を変換する必要がある。
図８に示す音声信号の場合のように複数の信号区分が音声信号中で妨害される場合、このエラーは、妨害なしで伝送された最終信号を複数回適切に挿入することによって訂正される。この方法は当然に、（10msの）信号区分に対して制限されて用いることが出来るのみである。この制限は約50msの持続時間（経験値）となる。エラーのない音声信号をもはや受信できない場合にこの方法を用いるのは無意味である。最後に妨害された信号区分を連続的に繰り返すと、不自然に聴取される印象を与える。上記制限を超えると、複数の妨害された信号区分が最後に正確に伝送された信号区分に置換された後に音声信号を、例えば、20msの時定数でマスクアウトすることによって上記方法を修正する。この動作を、任意の主要な演算を複雑化させないでデジタル信号プロセッサDSPによって実行することが出来る。伝送エラーが比較的長く続く場合には、デジタルフィルタを時間的に可変に設計することも出来る。これを、例えば、フィルタの遮断周波数を低減させるとともに、フィルタの効率を増大させることによって行うことが出来る。上記デジタル信号プロセッサDSPの特性の結果、このプロセッサは、不正確に送信される信号区分（DECTバースト）の数を区別する。したがって、妨害された信号区分の持続時間に応じて相違するように応答することが出来る。一つの同一音声信号の複数の応答の場合、信号区分の周期（時間区分）に相当する信号スペクトルに成分（例えば、10ms）信号区分の100Hzのスペクトル成分）を発声させることも出来る。これらアーティファクトは、図２及び５のコードレス移動区分PTの伝送経路USの残りの高域通過応答によって（例えば、受信器HKの周波数応答によって）、部分的に減衰される。しかしながら、デジタルフィルタに高域通過フィルタ要素を設けることも出来る。この高域通過フィルタ特性により、前記低周波数信号成分が除去される。この手順は、ヒヤリングテストで示したような、より現実的に取り扱われる信号の形成を補助することが出来る。電話通信の場合、この周波数帯域に対応する低周波数を伝送すべきでないことはいずれの場合にも既知である。
【図１】
0003578461.tif 000002
【図２】
0003578461.tif 000003
【図３】
0003578461.tif 000004
【図４】
0003578461.tif 000005
【図５】
0003578461.tif 000006
【図６】
0003578461.tif 000007
【図７】
0003578461.tif 000008
【図８】
0003578461.tif 000009
【図９】
0003578461.tif 000010